【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
動的な患者治療スケジューリングに適合可能な臨床決定支援を提供する点滴プランニングシステムであって、
グラフィカルユーザーインターフェースを提示する医療介護者用装置と、
順序付けられた点滴に関連付けられた少なくとも１つの点滴投与プロファイル図形を含み複数の患者治療を経時的に図形を用いて表すタイムスケジュールディスプレイを提示する前記グラフィカルユーザーインターフェースと、
スケジュール変更支援エンジンであって、
前記患者治療を管理するルールに準じてそれぞれが前記患者治療に対する１組の推奨される変更を含む複数の選択可能なスケジュールアップデートを提供するユーザーインターフェースディスプレイを含む、スケジュール変更支援エンジンと、
を備え、
前記医療介護者用装置は、
前記タイムスケジュールディスプレイにリアルタイム患者パラメータフィードバックとして含めるために、順序付けられた点滴の投与のための、及び患者治療行動の自動報告を含む、前記システムへの電子的フィードバックの受信のための、前記点滴プランニングシステムのユーザーが利用できる少なくとも１つのポンプと通信するように構成されると共に、
施された実際の患者治療に関するフィードバックデータを受信し、
予想患者治療からの逸脱を検出し、
逸脱が識別されるときに前記スケジュール変更支援エンジンを有効化し、
複数の前記選択可能なスケジュールアップデートのそれぞれの選択可能な図形による視覚的プレビューを、ポップアップウィンドウとして、又は前記タイムスケジュールディスプレイに重ねる若しくは組み込むことで提供し、
複数の前記選択可能なスケジュールアップデートの少なくとも１つをユーザーが選択したことに基づいて、予想される治療のスケジュールを変更する、
ことを実行するように構成される、
点滴プランニングシステム。
【請求項２】
前記スケジュール変更支援エンジンが、前記複数の選択可能なスケジュールアップデートのうちの１つを実装するためにユーザー認証を要求する、請求項１に記載の点滴プランニングシステム。
【請求項３】
前記スケジュール変更支援エンジンからの前記複数の選択可能なスケジュールアップデートのうちの１つが、ドラッグアンドドロップツールを介して前記グラフィカルユーザーインターフェースへ実装され得る、請求項１に記載の点滴プランニングシステム。
【請求項４】
前記スケジュール変更支援エンジンの前記ユーザーインターフェースディスプレイが、ユーザー要求によって手動でアクセス可能になる、請求項１に記載の点滴プランニングシステム。
【請求項５】
前記スケジュール変更支援エンジンが、前記選択可能なスケジュールアップデートのうちの１つを最も好ましい１組の推奨される変更として識別する、請求項１に記載の点滴プランニングシステム。
【請求項６】
動的な患者治療スケジューリングに適合可能な臨床決定支援を提供する点滴プランニングシステムであって、
コンピュータネットワークとインターフェース接続されたコンピューティングプラットフォームであって、処理装置、データ記憶装置、及び入力／出力機能を有するコンピューティングハードウエアと、前記コンピューティングハードウエア上に実装されたオペレーティングシステムとを含む、コンピューティングプラットフォームと、
命令であって、前記コンピューティングプラットフォーム上で実行されるとき、前記コンピューティングプラットフォームに、
複数の患者治療を経時的に図形を用いて表すタイムスケジュールディスプレイを提示するグラフィカルユーザーインターフェースと、
修正された患者治療の少なくとも１つの代替シーケンスを含む前記グラフィカルユーザーインターフェースの前記タイムスケジュールディスプレイ上で推奨されるスケジューリング調整のオプションを識別し、図形的に提示するスケジュール変更支援エンジンと、を実装させる命令と、を備え、
前記スケジュール変更支援エンジンは、
前記タイムスケジュールディスプレイにリアルタイム患者パラメータフィードバックとして含めるために、施された実際の患者治療に関するフィードバックデータを受信し、
予想患者治療からの逸脱を検出し、
修正された患者治療の少なくとも１つの前記代替シーケンスを、スケジューリング調整のための推奨オプションとしてユーザーに提供し、
スケジューリング調整のための推奨オプションのそれぞれの選択可能な図形による視覚的プレビューオプションを、ポップアップウィンドウとして、又は前記タイムスケジュールディスプレイに重ねる若しくは組み込むことで提示し、
スケジューリング調整のための推奨オプションをユーザーが選択したことに基づいて、患者治療のスケジュールを変更する、
ように構成され、
前記コンピューティングプラットフォームは、
少なくとも１つの患者治療の投与のために、及び患者治療行動の自動報告を含む、前記システムへの電子的フィードバックの受信のために、少なくとも１つのポンプと通信するように構成される、
点滴プランニングシステム。
【請求項７】
動的な患者治療スケジューリングに適合可能な臨床決定支援を提供する点滴プランニングシステムであって、
少なくとも１つの点滴用ポンプにより投与される複数の点滴のスケジューリングを含む複数の患者治療のスケジューリングのためのグラフィカルユーザーインターフェースを提示する医療介護者用装置を備え、
前記医療介護者用装置は、複数の点滴の投与のために、及び患者治療行動の自動報告を含む、前記システムへの電子的フィードバックの受信のために、少なくとも１つの点滴用ポンプと通信するように構成され、
前記グラフィカルユーザーインターフェースは、
少なくとも１つの特定日の間の時間間隔を表す複数の列を備えるタイムスケジュールディスプレイと、
投与のため順序付けられた点滴をそれぞれ表す複数の点滴バーと、
患者へ投与される薬剤の量及び投与に必要とされる期間の長さ両方を図示する、順序付けられた点滴それぞれに関連付けられた１つ以上の点滴投与プロファイル図形であって、対応する前記順序付けられた点滴に関連付けられた前記点滴バー内での移動のために構成され、そのため前記順序付けられた点滴が投与のためにスケジューリングされる前記時間間隔を表す前記列と位置合わせされる、点滴投与プロファイル図形と、
前記医療介護者用装置と通信するスケジュール変更支援エンジンであって、前記複数の患者治療のそれぞれを管理する割り当てられたルールに従って前記複数の患者治療に対する１組の推奨される変更をそれぞれ含む複数の選択可能なスケジュールアップデートを提供する、スケジュール変更支援エンジンと、
を備え、
前記スケジュール変更支援エンジンは、
患者治療行動の自動報告を含む電子的フィードバックデータを受信し、
前記順序付けられた点滴が投与のためにスケジューリングされる前記時間間隔からの偏差を検出し、
複数の選択可能なスケジュールアップデートの少なくとも１つが選択されたことに基づいて、前記順序付けられた点滴が投与のためにスケジューリングされる前記時間間隔のスケジュールを変更する、
ように構成され、
前記グラフィカルユーザーインターフェースが、前記選択可能なスケジュールアップデートの視覚的プレビューを提供する、
点滴プランニングシステム。
【請求項８】
前記グラフィカルユーザーインターフェースが、１つ以上の臨床的変更への応答を示す患者の履歴及びリアルタイムパラメータフィードバックを有するディスプレイを含む、請求項７に記載の点滴プランニングシステム。
【請求項９】
医療スケジューリングシステムのグラフィカルユーザーインターフェース内で使用されるスケジュール変更支援エンジンであって、
ユーザーインターフェースディスプレイを提示する医療介護者用装置と、
前記１つ以上の患者治療を管理するルールに準じて１つ以上の患者治療に対する１組の推奨される変更をそれぞれが含む複数の選択可能なスケジュールアップデートを提供する前記ユーザーインターフェースディスプレイと、を含み、
前記複数の選択可能なスケジュールアップデートのそれぞれの選択可能な図形による視覚的プレビューが、提供され、
前記１つ以上の患者治療のうちの少なくとも１つが、点滴である、スケジュール変更支援エンジン。
【請求項１０】
点滴プランニングシステムにおける患者のための治療スケジュールをアップデートする方法であって、
前記点滴プランニングシステムのグラフィカルユーザーインターフェースにおける１つ以上の点滴を含む予想患者治療の視覚的スケジュールを構築し、前記グラフィカルユーザーインターフェースは医療介護者用装置上に提示されており、
前記患者へ施された実際の患者治療に関するフィードバックデータを受信し、
受信した前記フィードバックデータに基づき前記予想患者治療からの逸脱を検出し、
逸脱が識別されたときスケジュール変更支援エンジンを有効にし、
前記スケジュール変更支援エンジンを使用して前記予想患者治療を修正するための複数のオプションを前記医療介護者用装置に提供し、前記予想患者治療を修正するための複数のオプションのそれぞれの選択可能なプレビューは、ポップアップウィンドウとして、又は前記視覚的スケジュールに重ねる若しくは組み込むことで提示されており、
前記スケジュール変更支援エンジンにより提供される前記予想患者治療の修正のための前記複数のオプションのうちの１つの選択に基づいて、前記予想患者治療のスケジュール変更をする、
ことを含む、方法。
【請求項１１】
前記患者へ施された実際の患者治療に関するフィードバックデータを受信することが、応答的な監視患者パラメータデータを受信することを含み、前記予想患者治療からの逸脱を検出することが、予想監視患者パラメータデータからの変更を検出することを含む、請求項１０に記載の方法。
【請求項１２】
医療用点滴を含む医療事象のスケジューリングのための点滴プランニングシステムであって、
グラフィカルユーザーインターフェースを表示する装置を備え、
前記グラフィカルユーザーインターフェースは、
表示されるタイムラインの第１の部分上におけるこれからの患者治療のタイムラインベースの図形によるスケジュールと、
実際に施された１組の患者治療に関して受信されたフィードバックに基づき、照合済みの過去の患者治療及び未照合の過去の患者治療を表示するように構成される、前記表示されるタイムラインの第２の部分上における過去の患者治療のタイムラインベースの図形によるスケジュールと、を含み、
前記装置は、
実際に施された１組の患者治療に関して受信されたフィードバックを受信するように構成されると共に、
将来の患者治療からの逸脱を検出し、
患者治療を管理するルールに準じて患者治療に対する１組の推奨される変更を含む複数の選択可能なスケジュールアップデートをユーザーに提供し、複数の選択可能なスケジュールアップデートのそれぞれの視覚的プレビューは、ポップアップウィンドウとして、又は前記表示されるタイムラインに重ねる若しくは組み込むことで提示され、
複数の選択可能なスケジュールアップデートの少なくとも１つをユーザーが選択したことに基づいて、将来の患者治療のスケジュールを変更する、
ように配置される、
点滴プランニングシステム。
【請求項１３】
前記未照合の過去の患者治療が、前記照合済みの過去の患者治療の外観から区別可能な第１の外観を反映する、請求項１２に記載の点滴プランニングシステム。
【請求項１４】
前記未照合の過去の患者治療が、グレースケールで示される、請求項１２に記載の点滴プランニングシステム。
【請求項１５】
権限を与えられた医療臨床医が、未照合の過去の医療事象を選択して照合済みの過去の患者治療へ変換することを許可される、請求項１２に記載の点滴プランニングシステム。
【請求項１６】
前記権限を与えられた医療臨床医が、システムの選択時間で未照合の過去の治療を見直すように促される、請求項１５に記載の点滴プランニングシステム。
【請求項１７】
前記グラフィカルユーザーインターフェース上に表示される前記患者治療が、特定の患者治療を管理するルールに関連付けられた設定基準のリストを提供するユーザー選択可能なアイコンを含む、請求項１２に記載の点滴プランニングシステム。
【請求項１８】
前記グラフィカルユーザーインターフェースが、前記現在及び過去の患者の診断状態を示す患者パラメータフィードバックのリアルタイムディスプレイを含む、請求項１２に記載の点滴プランニングシステム。